(57)【要約】【課題】記憶媒体に記憶された画像を表示部に順次表示させながら画像検索を行う場合に、可及的迅速に所望の動画を検索できるようにする。【解決手段】検索速度が遅い段階では表示部に表示する動画のコマ数を少なくし、速い段階になるに従って前記表示する動画のコマ数を多くする。【選択図】図３
2009205508.tif 000002
【特許請求の範囲】
【請求項１】
記憶媒体に記憶された画像を検索操作手段の操作に応じて表示部に順次表示する画像表示装置であって、
前記検索操作手段による画像の検索速度を検出する検出手段と、
前記検出手段により検出された検索速度の段階に応じて、前記表示部に表示する画像の切換え速度を制御する制御手段と、を有し、
前記制御手段は、前記検索速度が遅い段階では前記表示部に表示する動画のコマ数を少なくし、速い段階になるに従って前記表示する動画のコマ数を多くするように制御することを特徴とする画像表示装置。
【請求項２】
前記制御手段は、前記表示部に動画を表示中である旨を報知する報知手段を有することを特徴とする請求項１に記載の画像表示装置。
【請求項３】
前記報知手段は、前記表示部に表示される進行バーにより構成されていることを特徴とする請求項２に記載の画像表示装置。
【請求項４】
前記制御手段は、前記表示部に動画を表示している場合に限り前記進行バーを表示することを特徴とする請求項３に記載の画像表示装置。
【請求項５】
前記報知手段は、前記表示部に表示中の動画に付属している音を出力する出力手段により構成されていることを特徴とする請求項２に記載の画像表示装置。
【請求項６】
前記出力手段は、前記動画に付属している音を前記検索速度、又は当該検索速度の段階に対応する速度で出力することを特徴とする請求項５に記載の画像表示装置。
【請求項７】
前記出力手段は、前記表示部に静止画を表示している場合は、規定の音を出力することを特徴とする請求項５に記載の画像表示装置。
【請求項８】
前記検索操作手段による動画の検索中に、前記表示部に次に表示すべき静止画、又は次に表示すべき動画の先頭のコマの画像にスキップさせるスキップ手段を有することを特徴とする請求項１に記載の画像表示装置。
【請求項９】
前記検索操作手段による動画の検索中に、前記表示部に表示中の動画の先頭のコマの画像から再生させる再生手段を有することを特徴とする請求項１に記載の画像表示装置。
【請求項１０】
前記検索操作手段による動画の検索中に、前記表示部に表示中のコマの画像から再生させる第２の再生手段を有することを特徴とする請求項１に記載の画像表示装置。
【請求項１１】
記憶媒体に記憶された画像を検索操作手段の操作に応じて表示部に順次表示する画像表示装置の制御方法であって、
前記検索操作手段による画像の検索速度を検出する検出工程と、
前記検出工程により検出された検索速度の段階に応じて、前記表示部に表示する画像の切換え速度を制御する制御工程と、を有し、
前記制御工程は、前記検索速度が遅い段階では前記表示部に表示する動画のコマ数を少なくし、速い段階になるに従って前記表示する動画のコマ数を多くするように制御することを特徴とする画像表示装置の制御方法。
【請求項１２】
請求項１１に記載の画像表示装置の制御方法を実行するように構成されたコンピュータにより読み取り可能なプログラム。
【発明の詳細な説明】
【技術分野】
【０００１】
本発明は、動画、又は動画と静止画を表示する画像表示装置に関し、特に動画の検索技術に関する。
【背景技術】
【０００２】
従来、ｉＰｏｄ（登録商標）のように、静止画と動画を混在させて次々に表示させ、目視で画像を検索することが可能な画像表示装置が実現されている。この種の画像表示装置等では、例えばジョグダイヤル等の操作により、表示画像の切換速度を制御している（特許文献１参照）。
【特許文献１】特開平１１−３１３２７７号公報
【発明の開示】
【発明が解決しようとする課題】
【０００３】
しかし、画像切換速度（検索速度、又はブラウズ速度とも言う）を高速にした場合、動画について代表的な画像、すなわち代表的な場面（コマ）の静止画像だけを表示してしまうと、所望の動画を見逃してしまう虞がある。従って、画像切換速度を高速にした場合は、代表的な画像だけでなく複数コマの画像を表示する必要がある。
【０００４】
しかし、単純に一定数の複数コマの画像を表示した場合には、ブラウズ速度を高速化し過ぎると画像の見逃しが多くなり、結局、所望の動画を検索するのに長時間を要する可能性が高くなる。また、ブラウズ速度がそれほど速くないときは、所望の動画が表示される迄に長時間を要し、この場合も所望の動画を検索するのに長時間を要することとなる。
【０００５】
本発明は、このような技術的な背景の下になされたもので、その目的は、記憶媒体に記憶された画像を表示部に順次表示させながら画像検索を行う場合に、可及的迅速に所望の動画を検索できるようにすることにある。
【課題を解決するための手段】
【０００６】
上記目的を達成するため、本発明は、記憶媒体に記憶された画像を検索操作手段の操作に応じて表示部に順次表示する画像表示装置であって、前記検索操作手段による画像の検索速度を検出する検出手段と、前記検出手段により検出された検索速度の段階に応じて、前記表示部に表示する画像の切換え速度を制御する制御手段と、を有し、前記制御手段は、前記検索速度が遅い段階では前記表示部に表示する動画のコマ数を少なくし、速い段階になるに従って前記表示する動画のコマ数を多くするように制御することを特徴とする。
【発明の効果】
【０００７】
本発明では、検索速度が遅い段階では表示部に表示する動画のコマ数を少なくし、速い段階になるに従って前記表示する動画のコマ数を多くするように制御している。
【０００８】
従って、本発明によれば、記憶媒体に記憶された画像を表示部に順次表示させながら画像検索を行う場合に、可及的迅速に所望の動画を検索できるようになる。
【発明を実施するための最良の形態】
【０００９】
以下、発明を実施するための最良の形態を、図面に基づいて説明する。
【００１０】
［第１の実施の形態］
図１は、本発明の第１の実施の形態に係る画像表示装置の外観図である。この画像表示装置１０１は、表示パネル１０２、ジョグダイヤル１０３を有している。
【００１１】
表示パネル１０２は、例えば液晶ディスプレイ装置、自己発光型のフラットディスプレイ装置、プラズマディスプレイ装置等の薄型のディスプレイ装置に係る表示パネルである。この画像表示装置１０１は、画像検索機能を有し、表示パネル１０２には、所望の動画や静止画を検索するために、動画（コマに係る静止画）や静止画を混在させて次々に表示させることが出来る。図１では、この表示画像１０７の一例として、花の画像が表示されている。
【００１２】
ジョグダイヤル１０３は、右回り方向（順方向）、左回り方向（逆方向）の何れの方向にも回転可能である。このジョグダイヤル１０３は、本実施の形態では、画像を検索するために利用される。即ち、ジョグダイヤル１０３を順方向（右回り）に回転することで、フラッシュＲＯＭ２０３（図２参照）に格納されている静止画像、動画像を、その格納順（撮影時刻の昇順）に表示させることができる。
【００１３】
一方、ジョグダイヤル１０３を逆方向（左回り）に回転することで、フラッシュＲＯＭ２０３（図２参照）に格納されている静止画像、動画像を、その格納の逆順（撮影時刻の降順）に表示させることができる。
【００１４】
また、ジョグダイヤル１０３は、画像を検索する際の表示画像の切換速度、即ち検索速度（ブラウズ速度）をコントロールする操作子として利用される。即ち、ジョグダイヤル１０３は、１回転で２４個のトリガ信号を発生する。図２に示したＣＰＵ２０４は、このトリガ信号に基づいてジョグダイヤル１０３の回転操作速度を算出し、その回転操作速度に応じた切換速度で表示画像１０７を切換える。
【００１５】
なお、本実施の形態では、画像表示装置１０１としては、携帯型の小型のものを想定しており、その表示パネル１０２のサイズが小さいため、表示パネル１０２には１コマ単位で静止画像、又は動画像が切換え表示される。この切換え表示においては、瞬時に画像を切換えてもよく、或いは左方向、右方向、上方向、又は下方向への画像の移動により画像を切換えてもよい。
【００１６】
ただし、表示パネルのサイズが大きい場合には、複数コマの単位で静止画像、動画像を表示し、複数コマの単位で静止画像、動画像を切換え表示してもよい。この場合、複数コマの静止画像、動画像を一括して切換え表示しても、或いは複数コマの静止画像、動画像を左方向、右方向、上方向、又は下方向に移動させることで切換え表示してもよい。
【００１７】
また、ジョグダイヤル１０３には、再生ボタン１０４、次ステップボタン１０５、及び前スキップボタン１０６が取付けられている。再生ボタン１０４は、検索のために表示パネル１０２に表示されている動画を再生表示させるために利用される。次ステップボタン１０５は、表示パネル１０２に表示中の画像の次の静止画、又は次の動画の第１フレームを表示させるために利用される。前スキップボタン１０６は、表示パネル１０２に表示中の動画の第１フレームを表示させるために利用される。
【００１８】
図２は、図１に示した画像表示装置１０１のハードウェア構成を示すブロック図である。画像表示装置１０１は、コンピュータにより構成され、入力装置２０１、ＤＲＡＭ２０２、フラッシュＲＯＭ２０３、ＣＰＵ２０４，ディスプレイ装置２０５を有している。これらデバイスは、システムバス２０６により、相互に制御信号、データ信号を交信可能に接続されている。
【００１９】
入力装置２０１は、表示パネル１０２に表示されるメニュー画面等を操作するための操作ボタン等の各種の操作子を有し、これら操作子の操作信号は、ＣＰＵ２０４により検知される。図１に示したジョグダイヤル１０３、再生ボタン１０４、次ステップボタン１０５、及び前スキップボタン１０６も操作子の１種である。
【００２０】
ＤＲＡＭ２０２は、メインメモリとして利用される。フラッシュＲＯＭ２０３は、カード型の着脱自在、書込み／消去自在なメモリである。本実施の形態では、フラッシュＲＯＭ２０３には、ファームウエアプログラム、静止画像、動画像、及び図３の表示コマ管理テーブル３０１等を格納している。
【００２１】
上記のファームウエアプログラムとしては、図４のフローチャートに係るプログラムも格納されている。また、上記の静止画像、動画像としては、デジタルカメラ等で撮影したもの、インターネットを介してパーソナルコンピュータによりダウンロードしたもの等、各種の形態でフラッシュＲＯＭ２０３に取込んだものが考えられる。
【００２２】
ＣＰＵ２０４は、画像表示装置１０１の動作を全体的に制御する。この場合、ＣＰＵ２０４は、フラッシュＲＯＭ６０３に格納されたファームウエアプログラムをＤＲＡＭ６０２にロードして実行することにより、画像表示装置１０１の各種の動作を制御する。ディスプレイ装置２０５は、図１に示した表示パネル１０２を有している。
【００２３】
図３は、動画を検索する場合に使用される表示コマ管理テーブル３０１の管理データを示している。この表示コマ管理テーブル３０１には、「低速」、「中速」、「高速」の検索速度（ブラウズ速度）の段階別に、前のトリガ信号との間隔情報３０２と、スキップするフレーム数３０３が登録されている。
【００２４】
前のトリガ信号との間隔情報３０２は、ジョグダイヤル１０３から前回検出したトリガ信号と、今回検出したトリガ信号との検出時間間隔を示している。この検出時間間隔が１秒以上の場合に検索速度が「低速」の段階、１／１２秒から１／２４秒内の場合に「中速」の段階、１／２４以下の場合に「高速」の段階であると規定している。
【００２５】
なお、上記のように、ジョグダイヤル１０３は、１回転（３６０°回転）で２４個のトリガ信号を出力するので、ジョグダイヤル１０３を１５°回転させる毎に１個のトリガ信号が出力される。
【００２６】
従って、トリガ信号の間出時間間隔が１秒以上である「低速」の段階は、１秒以上の時間をかけてジョグダイヤル１０３を１５°回転させる場合に相当する。また、トリガ信号の間出時間間隔が１／１２秒から１／２４秒内である「中速」の段階は、１／１２秒から１／２４秒内にジョグダイヤル１０３を１５°回転させる場合に相当する。また、トリガ信号の間出時間間隔が１／２４秒以下である「高速」の段階は、１／２４秒以内にジョグダイヤル１０３を１５°回転させる場合に相当する。
【００２７】
スキップするフレーム数情報３０３は、ブラウズ時における次の切換え表示画像が動画である場合に、その切換え先の画像を特定する情報として用いられる。具体的には、「低速」の段階の場合は次の画像までスキップして、次の画像に切換えるように規定されている。
【００２８】
また、「中速」の段階の場合は３００フレーム目（３００コマ目）までスキップし、「高速」の段階の場合は３０フレーム目（３０コマ目）までスキップし、そのスキップ位置のフレーム（コマ）の画像に切換えるように規定されている。
【００２９】
このスキップするフレーム数情報３０３に係る規定内容は、ブラウズ速度が「低速」、「中速度」、「高速」の段階と速い段階になるに従って、単位時間当たりの表示コマ数（画像数）が多くなることを意味している。
【００３０】
なお、次の切換表示画像が静止画の場合は、その静止画が常に表示対象となるので、
静止画については、次の切換表示画像を指定するデータは、表示コマ管理テーブル３０１に登録されていない。
【００３１】
次に、画像（静止画、動画）の検索処理を図４のフローチャートに基づいて説明する。なお、ここでは、フラッシュＲＯＭ２０３には、静止画像、動画像が混在した状態で、その撮影日時（時刻）順に格納されているものとする。また、ジョグダイヤル１０３は、順方向（右回り）に回転操作され、検索時には撮影日時の昇順に表示画像が切換えられて行くものとする。さらに、図４では、ジョグダイヤル１０３に取付けられた再生ボタン１０４、次ステップボタン１０５、及び前スキップボタン１０６が押下された場合の処理は、省略されている。
【００３２】
ＣＰＵ２０４は、ジョグダイヤル１０３からのトリガ信号を検知したか否かを判別する（ステップＳ４０１）。トリガ信号を検知しなかった場合は、ＣＰＵ２０４は、ステップＳ４０１の処理を繰り返す。トリガ信号を検知した場合は、ＣＰＵ２０４は、前回のトリガ信号の検知時刻をＤＲＡＭ２０２から読出し、現在のトリガ信号の検知時刻との差分を算出する（ステップＳ４０２）。そして、ＣＰＵ２０４は、現在のトリガ信号の検知時刻を、前回のトリガ信号の検知時刻としてＤＲＡＭ２０２に保存する（ステップＳ４０３）。
【００３３】
次に、ＣＰＵ２０４は、フラッシュＲＯＭ２０３内に次に格納されている画像が動画であるか否かを判別する（ステップＳ４０４）。その結果、次に格納されている画像が動画ではなく静止画であれば、ＣＰＵ２０４は、当該次の静止画を表示パネル１０２に表示し（ステップＳ４０５）、ステップＳ４０１に戻る。
【００３４】
一方、次に格納されている画像が動画であれば、ＣＰＵ２０４は、上記の算出に係る前回と今回のトリガ信号の検知時刻の差分が、図３の表示コマ管理テーブル３０１で規定されている「低速」、「中速」、「高速」の何れの段階に該当するのかを判別する（ステップＳ４０６）。
【００３５】
その結果、「低速」の段階に該当する場合は、ＣＰＵ２０４は、現在表示中の画像の次の次にフラッシュＲＯＭ２０３に格納されている画像（２枚目の画像）が、動画であるか否かを判別する（ステップＳ４０７）。
【００３６】
その結果、動画であれば、ＣＰＵ２０４は、ステップＳ４０４で判別した次に格納されている動画の１フレーム目の画像を表示パネル１０２に表示し（ステップＳ４０８）、ステップＳ４０１に戻る。この処理により、１秒以上の時間をかけてジョグダイヤル１０３を１５°回転させる「低速」の段階の場合は、動画の１フレーム目の画像だけが切換え表示されていくこととなる。一方、上記の２枚目の画像が、静止画であれば、ＣＰＵ２０４は、当該２枚目の静止画を表示パネル１０２に表示し（ステップＳ４０９）、ステップＳ４０１に戻る。
【００３７】
前回と今回のトリガ信号の検知時刻の差分が、表示コマ管理テーブル３０１で規定されている「中速」の段階であれば、ＣＰＵ２０４は、表示パネル１０２に表示中の動画の残りのフレーム数が「３００」フレームより多いか否かを判別する（ステップＳ４１０）。その結果、残りのフレーム数が「３００」フレーム以下であれば、ＣＰＵ２０４は、前述のステップＳ４０７に進む。
【００３８】
一方、残りのフレーム数が「３００」フレームより多い場合には、ＣＰＵ２０４は、「３００」フレームだけ後の方（撮影時刻が遅い方）のフレームにスキップし、当該フレーム（コマ）の画像を表示し（ステップＳ４１１）、ステップＳ４０１に戻る。
【００３９】
前回と今回のトリガ信号の検知時刻の差分が、表示コマ管理テーブル３０１で規定されている「高速」の段階であれば、ＣＰＵ２０４は、表示パネル１０２に表示中の動画の残りのフレーム数が「３０」フレームより多いか否かを判別する（ステップＳ４１２）。その結果、残りのフレーム数が「３０」フレーム以下であれば、ＣＰＵ２０４は、前述のステップＳ４０７に進む。
【００４０】
一方、残りのフレーム数が「３０」フレームより多い場合には、ＣＰＵ２０４は、「３０」フレームだけ後の方（撮影時刻が遅い方）のフレームにスキップし、当該フレーム（コマ）の画像を表示し（ステップＳ４１３）、ステップＳ４０１に戻る。
【００４１】
以上の処理は、検索速度が遅い段階では表示部１０２に表示する動画のコマ数を少なくし、速い段階になるに従って表示する動画のコマ数を多くするよう制御していることを意味する。また、以上の処理は、「中速」、「高速」の段階においては、共に、動画の長さが長くなるに従って表示される動画のコマ数が多くなることを意味する。
【００４２】
これにより、フラッシュＲＯＭ２０３に記憶された画像を表示パネル１０２に順次表示させながら画像検索を行う場合に、可及的迅速に所望の動画を検索することが可能となる。すなわち、動画の検索速度が「中速」、「高速」の場合に、所望の動画の見逃しを可及的に防止することが可能となる。また、動画の検索速度が「低速」の場合は、所望の動画を見逃す可能性が低いので、動画の先頭フレーム（コマ）だけを表示することとし、ユーザが感じる煩わしさを解消する方を優先している。
【００４３】
なお、上記の画像検索処理では、検索速度を３つの段階に分けて表示コマ数を制御したが、これ以外の複数の段階に分けて表示コマ数を制御するようにしてもよい。また、検索速度を３つの段階に分ける場合の前回と今回のトリガ信号の検知時刻の差分も、上記の「１秒以上」等に限定されるものではない。
【００４４】
また、逆方法に動画を検索する場合も、図４の順方向の動画検索の場合と同様の手法で
同様の効果を奏することができる。ただし、逆方法に動画を検索する場合は、ステップＳ４１１，Ｓ４１３における「３００フレーム後」、「３０フレーム後」とは、撮影時刻が早い方のフレームを意味することとなる。
【００４５】
次に、ジョグダイヤル１０３に取付けられた再生ボタン１０４、次ステップボタン１０５、及び前スキップボタン１０６の機能を詳細に説明する。
【００４６】
動画を表示部１０２に表示中、すなわち動画を検索中に再生ボタン１０４が押下されると、ＣＰＵ２０４は、現在表示中の動画のコマから当該動画の再生を行う(第２の再生処理)。また、動画を検索中に前スキップボタン１０６が押下されると、ＣＰＵ２０４は、現在表示中の動画の第１フレームの画像を表示する。また、前スキップボタン１０６が押下された直後に再生ボタン１０４が押下されると、ＣＰＵ２０４は、現在表示中の動画の第１フレームから再生を行う（通常の再生処理）。また、動画を検索中に次スキップボタン１０５が押下されると、ＣＰＵ２０４は、次の静止画、又は動画の第１フレームの画像を表示する。
【００４７】
［第２の実施の形態］
次に、本発明の第２の実施の形態を図５に基づいて説明する。図５は、本発明の第２の実施の形態に係る画像検索画面の表示形態を示している。
【００４８】
第２の実施の形態では、表示パネル１０２に動画を表示する場合は、動画を表示中である旨をユーザに報知するため、図５に示した進行バー１０８を表示する。この進行バー１０８には、ＣＰＵ２０４により、表示中の画像のコマが動画の全体のコマの中のどの位置のコマに当るのかを示す目盛り１０８ａが表示される。
【００４９】
この進行バー１０８は、静止画を表示している際には表示されない。また、一定時間（例えば、２秒）以上の間、画像検索操作がなされない場合は、ＣＰＵ２０４は、進行バー１０８を非表示にする。
【００５０】
ＣＰＵ２０４は、進行バー１０８が表示されていない状態で、ジョグダイヤル１０３の操作により順方向への画像検索処理を開始した場合は、次の画像が動画であれば、進行バー１０８を表示する。一方、ＣＰＵ２０４は、逆方向への画像検索処理を開始した場合は、表示中の動画の第１フレームにスキップして表示する。
【００５１】
なお、進行バー１０８上の目盛り１０８ａの進行方向は、順方向への画像検索処理の場合と逆方向への画像検索処理の場合とで、異なる方向としても、或いは同一方向としても、何れでもよい。
【００５２】
また、動画に係る画像（コマ）を表示中には、その旨をユーザに報知するため、動画に付属して記憶されている音声を、動画の検索速度に対応する速度で再生することも可能である。
【００５３】
この場合、静止画の検索時には、例えば「カリカリ」等の電子音（効果音）を静止画の切換表示のタイミングで出力するのが望ましい。
【００５４】
さらに、静止画と動画を判別し易くするために、動画と静止画とで画像切換時の効果音を変える、或いは動画か静止画かを表現する記号（アイコン、フレーム等）を表示することも可能である。
【００５５】
なお、本発明は、上記の第１，第２の実施の形態に限定されることなく、例えば、動画と静止画が混在しておらず、動画だけを検索する場合にも、第１，第２の実施の形態の動画検索の機能を適用することができる。
【００５６】
また、パーソナルコンピュータ等の情報処理装置に第１，第２の実施の形態の機能を搭載させることも可能である。さらに、検索操作手段としては、ジョグダイヤル１０３の代わりに、例えば表示部をタッチスクリーンで構成し、このタッチスクリーンをタッチ操作することで、検索速度・検索方向を指示することも可能である。また、検索対象は、画像データだけでなく、音声データ、テキストデータとすることも可能である。
【００５７】
さらに、本発明の目的は、上述した各実施の形態の機能を実現するソフトウェアのプログラムコードを記録した記憶媒体によっても達成される。すなわち、この記憶媒体を、システム或いは装置に供給し、そのシステム或いは装置のコンピュータ（またはＣＰＵやＭＰＵ等）が記憶媒体に格納されたプログラムコードを読出して実行することによって達成される。
【００５８】
この場合、記憶媒体から読出されたプログラムコード自体が前述した各実施の形態の機能を実現することになり、そのプログラムコード及び該プログラムコードを記憶した記憶媒体は本発明を構成することになる。
【００５９】
また、プログラムコードを供給するための記憶媒体としては、次のものを用いることができる。例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００６０】
また、本発明は、コンピュータが読出したプログラムコードを実行することにより、上記の各実施の形態の機能が実現される場合だけに限定されるものではない。その他、例えば、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００６１】
さらに、記憶媒体から読出されたプログラムコードが、コンピュータに挿入された機能拡張ボードやコンピュータに接続された機能拡張ユニットに備わるメモリに書込まれることにより各実施の形態の機能が実現される場合も含まれる。この場合、当該書込みの後、そのプログラムコードの指示に基づき、その機能拡張ボードや機能拡張ユニットに備わるＣＰＵ等が実際の処理の一部または全部を行うこととなる。
【図面の簡単な説明】
【００６２】
【図１】本発明の第１の実施の形態に係る画像表示装置の外観図である。
【図２】図１に示した画像表示装置のハードウェア構成を示すブロック図である。
【図３】動画を検索する場合に使用される表示コマ管理テーブルの管理データを示す図である。
【図４】静止画、動画の検索処理を示すフローチャートである。
【図５】本発明の第２の実施の形態に係る画像検索画面の表示形態を示す図である。
【符号の説明】
【００６３】
１０１…画像表示装置
１０２…表示パネル
１０３…ジョグダイヤル
１０４…再生ボタン
１０５…次ステップボタン
１０６…前スキップボタン
１０７…表示画像
１０８…進行バー
２０２…ＤＲＡＭ
２０３…フラッシュＲＯＭ
２０４…ＣＰＵ
３０１…表示コマ管理テーブル
【図１】
2009205508.tif 000003
【図２】
2009205508.tif 000004
【図３】
2009205508.tif 000005
【図４】
2009205508.tif 000006
【図５】
2009205508.tif 000007